(57)【要約】【課題】各種の産業や食品用途などの包装で使用される再封機能のあるチャックテープおよびチャックテープ付き袋を提供する。【解決手段】ポリブチレンテレフタレート樹脂、あるいはポリブチレンテレフタレート樹脂とポリエチレンテレフタレート樹脂の混合物からなる板状のテープ基材が、二次的に成型することによりチャック部を成型可能としたチャックテープ。また、このようなチャックテープを、袋本体の開口部内面の対向する位置に貼着後、二次的に成型することにより、雌雄一対のファスナー部が形成されているチャックテープ付き袋。【選択図】図２
2007282715.tif 000002
【特許請求の範囲】
【請求項１】
ポリブチレンテレフタレート樹脂、あるいはポリブチレンテレフタレート樹脂とポリエチレンテレフタレート樹脂の混合物からなる板状のテープ基材が、二次的に成型することによりチャック部を成型可能としたことを特徴とするチャックテープ。
【請求項２】
テープ基材には、ポリエチレン樹脂層、あるいはポリプロピレン樹脂層の少なくとも１層以上が積層されていることを特徴とする請求項１に記載のチャックテープ
【請求項３】
請求項１または２に記載のチャックテープを、袋本体の開口部内面の対向する位置に貼着後、二次的に成型することにより、雌雄一対のファスナー部が形成されていることを特徴とするチャックテープ付き袋。
【請求項４】
ポリブチレンテレフタレート樹脂、あるいはポリブチレンテレフタレート樹脂とポリエチレンテレフタレート樹脂の混合物からなる袋本体の開口部内面の対向する位置を、雌雄一対のファスナー部よりなるチャックテープ部に形成したことを特徴とするチャックテープ付き袋。
【発明の詳細な説明】
【技術分野】
【０００１】
本発明は、各種の産業や食品用途などの包装で使用される再封機能のあるチャックテープおよびチャックテープ付き袋に関するものである。
【背景技術】
【０００２】
従来から、食料品、事務用品等の各種物品を密封包装するためにチャック付き袋が広く使用されている。このようなチャックテープ付き袋は、袋本体の開口部内面の対向する位置に、雌雄型のファスナー部を形成した一対のチャックテープをそれぞれ貼着したものが一般的であるが、例えば、特許文献１や特許文献２に示されるようなチャック付き袋も考案されている。
【０００３】
特許文献１及び２に示されるようなチャック付き袋では、チャック雌雄部を二次的に成形することにより再封機能を付与するタイプであるが、そのチャック雌雄部の成形にあたってはチャック部となる部分にデッドホールド性が必要となる。
ここで、デッドホールド性とは、ある包装用材料を折り曲げた際、その折ったままの状態をいかに維持できるかという性質をいい、デッドホールド性が十分でないと噛合強度が低くなって、チャックしてもすぐにほどけてしまい密封状態を保持できなくなからである。
【０００４】
そこで、デッドホールド性に優れ、また開閉の操作性、噛合強度の安定性に優れたチャックテープ及びチャックテープ付き袋の開発が望まれているのが現状である。
【特許文献１】特開平２００２−１４４４５２号公報
【特許文献２】特開平２００１−５８６５４号公報
【発明の開示】
【発明が解決しようとする課題】
【０００５】
本発明は上記のような問題点を解決して、デッドホールド性に優れ、また開閉の操作性、密封の安定性にも優れたチャックテープおよびチャックテープ付き袋を提供することを目的として完成されたものである。
【課題を解決するための手段】
【０００６】
上記課題を解決するためになされた本発明は、ポリブチレンテレフタレート樹脂、あるいはポリブチレンテレフタレート樹脂とポリエチレンテレフタレート樹脂の混合物からなる板状のテープ基材が、二次的に成型することによりチャック部を成型可能としたことを特徴とするチャックテープを請求項１の発明とする。
なお、テープ基材には、ポリエチレン樹脂層、あるいはポリプロピレン樹脂層の少なくとも１層以上が積層されていることが好ましく、これを請求項２の発明とする。
【０００７】
また、前記のようなチャックテープを、袋本体の開口部内面の対向する位置に貼着後、二次的に成型することにより、雌雄一対のファスナー部が形成されていることを特徴とするチャックテープ付き袋を請求項３の発明とする。
また、ポリブチレンテレフタレート樹脂、あるいはポリブチレンテレフタレート樹脂とポリエチレンテレフタレート樹脂の混合物からなる袋本体の開口部内面の対向する位置を、雌雄一対のファスナー部よりなるチャックテープ部に形成したことを特徴とするチャック付きを請求項４の発明とする。
【発明の効果】
【０００８】
本発明では、ポリブチレンテレフタレート樹脂、あるいはポリブチレンテレフタレート樹脂とポリエチレンテレフタレート樹脂の混合物をテープ部材、あるいは袋に用いることにより、これらが有するデッドホールド性によって、チャック部の開閉の操作性、噛合強度の安定性を確保できることとなる。
【発明を実施するための最良の形態】
【０００９】
以下に、図面を参照しつつ本発明の好ましい実施の形態を示す。
図1は本発明のチャックテープつき袋を示す正面図、図2はチャックテープ付き袋の要部の断面図である。
この袋本体１の開口部３内面の対向する位置にはチャックテープ２が貼着され、その後二次的に成型することにより一対の雄型ファスナー部２ａと雌型ファスナー部２ｂからなるチャック部が成形されている。
【００１０】
前記チャックテープ２は、ポリブチレンテレフタレート樹脂、あるいはポリブチレンテレフタレート樹脂とポリエチレンテレフタレート樹脂の混合物からなる板状のテープ基材であり、好ましくはポリエチレン層あるいはポリプロピレン樹脂層と積層した構造である。
このチャックテープ２は、図３に示すように、ポリブチレンテレフタレート樹脂、あるいはポリブチレンテレフタレート樹脂とポリエチレンテレフタレート樹脂の混合物からなる樹脂層４に接着性ポリエチレンあるいはポリプロピレン層５を介してポリエチレン層あるいはポリプロピレン樹脂層６を積層した構造となっている。
【００１１】
前記多層テープにおいて、ポリブチレンテレフタレート樹脂、あるいはポリブチレンテレフタレート樹脂とポリエチレンテレフタレート樹脂の混合物からなる樹脂層４は多層テープの主材であり、特に本チャックテープとして優れたデッドホールド性を得るためのものである。ポリエチレン層あるいはポリプロピレン層６は袋本体１との接着性を確保するためのものであり、接着性ポリエチレンあるいはポリプロピレン樹脂層５はポリブチレンテレフタレート樹脂、あるいはポリブチレンテレフタレート樹脂とポリエチレンテレフタレート樹脂の混合物からなる樹脂層４とポリエチレン層あるいはポリプロピレン層６を接着するためのものである。
一例を示すと前記ポリブチレンテレフタレート樹脂層と接着性ポリプロピレン層とポリプロピレン層の比率は膜厚比で80：10：10程度が好ましい。
【００１２】
一例として、板状のテープ基材からなるチャックテープ２の成形工程を示すと、図４〜図５に示されるように、袋本体１の開口部内面の対向する位置に貼着後、一対の成型型１０ａ、１０ｂにより、袋本体１とともに雌雄一対のファスナー部を二次的に形成して、チャックテープ付き袋とすることができる。
【００１３】
更には、図６に示すように、袋本体１自体をデッドホールド性に優れたポリブチレンテレフタレート樹脂、あるいはポリブチレンテレフタレート樹脂とポリエチレンテレフタレート樹脂の混合物からなるものとすることにより、図４、５にある一対の成型型１０ａ、１０ｂを用いることにより、袋のみで二次的に雌雄一対のファスナー部を形成してチャック付き袋とすることも可能である。
なお、一対の推型ファスナー部２ａと雌型ファスナー部２ｂからなるチャック部の形状については、図示のものに限定されるものでなく、一般的に使用されているいかなる形状のファスナー形状であってもよいことは勿論である。
【００１４】
このように成形されたチャックテープ付き袋は、ファスナー部の開閉によって食料品、事務用品、医薬品、精密電子部品等の各種物品を自由に袋本体１内へ入れ、簡単に密封包装することができることとなるが、本発明ではチャックテープをポリブチレンテレフタレート樹脂、あるいはポリブチレンテレフタレート樹脂とポリエチレンテレフタレート樹脂の混合物からなるテープ部材に、雌型あるいは雄型のいずれかのファスナー部を形成したものとしたのでデッドホールド性に優れており、チャックしてもすぐにほどけてしまい密封状態を保持できなくなることや、チャックの開閉操作が困難になったり、折り目部分で切れてしまうこともなく、優れた使い勝手を発揮することとなる。また、開閉の操作性、密封の安定性にも優れたチャックテープおよびチャックテープ付き袋を提供できることとなる。
よって本発明は、従来の問題点を解決した有用なチャックテープおよびチャックテープ付き袋を提供するものであり、産業の発展に寄与するところ極めて大である。
【図面の簡単な説明】
【００１５】
【図１】本発明の実施の形態を示す正面図である。
【図２】チャックテープ付き袋の腰部を示す断面図である。
【図３】チャックテープを示す断面図である。
【図４】チャックテープ付き袋の成形工程を説明する要部の断面図である。
【図５】チャックテープ付き袋の成形工程を説明する要部の断面図である。
【図６】その他のチャック付き袋の要部を示す断面図である。
【符号の説明】
【００１６】
１  袋本体
２  チャックテープ
２ａ  雄型のファスナー部
２ｂ  雌型のファスナー部
３  開口部
４  ポリブチレンテレフタレート樹脂層
５  変性ポリプロピレン樹脂層
６  ポリエチレン樹脂層あるいはポリプロピレン樹脂層
【図１】
2007282715.tif 000003
【図２】
2007282715.tif 000004
【図３】
2007282715.tif 000005
【図４】
2007282715.tif 000006
【図５】
2007282715.tif 000007
【図６】
2007282715.tif 000008